【手続補正書】
【提出日】平成18年5月16日(2006.5.16)
【手続補正１】
【補正対象書類名】明細書
【補正対象項目名】特許請求の範囲
【補正方法】変更
【補正の内容】
【特許請求の範囲】
【請求項１】
アナログ信号が入力される信号線と、走査線と、複数のトランジスタと、を有する表示装置において、
前記第１の信号線にソース又はドレインの一方が、前記走査線にゲートが電気的に接続される第１のトランジスタと、
前記第１のトランジスタのソース又はドレインの他方にゲートが、ソース又はドレインの一方が発光素子に電気的に接続される第２のトランジスタと、
前記第２の信号線にソース又はドレインの一方が、前記走査線にゲートが電気的に接続される第３のトランジスタと、
前記第３のトランジスタのソース又はドレインの他方にゲートが、ソース又はドレインの一方が前記発光素子に電気的に接続される第４のトランジスタと、
前記発光素子の点灯期間を制御する回路と、
を有することを特徴とする表示装置。
【請求項２】
アナログ信号が入力される信号線と、走査線と、複数のトランジスタと、を有する表示装置において、
前記第１の信号線にソース又はドレインの一方が、前記走査線にゲートが電気的に接続される第１のトランジスタと、
前記第１のトランジスタのソース又はドレインの他方にゲートが、ソース又はドレインの一方が発光素子に電気的に接続される第２のトランジスタと、
前記第２の信号線にソース又はドレインの一方が、前記走査線にゲートが電気的に接続される第３のトランジスタと、
前記第３のトランジスタのソース又はドレインの他方にゲートが、ソース又はドレインの一方が前記発光素子に電気的に接続される第４のトランジスタと、
前記第４のトランジスタのソースとゲートとの間に電気的に接続される点灯期間制御回路と、
を有することを特徴とする表示装置。
【請求項３】
請求項２において、
前記点灯期間制御回路は第５及び第６のトランジスタを有し、
前記第５のトランジスタのゲートは第２の信号線に電気的に接続され、
前記第６のトランジスタのゲートは第２の走査線に電気的に接続されることを特徴とする表示装置。
【請求項４】
請求項２において、
前記点灯期間制御回路は第５乃至第８のトランジスタを有し、
前記第５のトランジスタのゲートは第２の信号線に電気的に接続され、
前記第６のトランジスタのゲートは第２の走査線に電気的に接続され、
前記第７のトランジスタのゲートは第３の信号線に電気的に接続され、
前記第８のトランジスタのゲートは第３の走査線に電気的に接続されることを特徴とする表示装置。
【請求項５】
請求項２において、
前記点灯期間制御回路は第５乃至第７のトランジスタ、及び容量素子を有し、
前記第５のトランジスタのゲートは前記容量素子及び前記第７のトランジスタのソース又はドレインの一方に接続され、
前記第６のトランジスタのゲートは第２の走査線に電気的に接続され、
前記第７のトランジスタのソース又はドレインの他方は第２の信号線に電気的に接続されることを特徴とする表示装置。
【請求項６】
アナログ信号が入力される信号線と、走査線と、複数のトランジスタと、を有する表示装置において、
前記第１の信号線にソース又はドレインの一方が、前記走査線にゲートが電気的に接続される第１のトランジスタと、
前記第１のトランジスタのソース又はドレインの他方にゲートが、ソース又はドレインの一方が発光素子に電気的に接続される第２のトランジスタと、
前記第２の信号線にソース又はドレインの一方が、前記走査線にゲートが電気的に接続される第３のトランジスタと、
前記第３のトランジスタのソース又はドレインの他方にゲートが、ソース又はドレインの一方が前記発光素子に電気的に接続される第４のトランジスタと、
前記発光素子と、前記第２のトランジスタのソース又はドレインの一方、及び第４のトランジスタのソース又はドレインの一方との間に電気的に接続される点灯期間制御回路と、
を有することを特徴とする表示装置。
【請求項７】
請求項６において、
前記点灯期間制御回路は第５乃至第７のトランジスタ、及び容量素子を有し、
前記第５のトランジスタのソース又はドレインの一方は、前記第６のトランジスタのソース又はドレインの一方に電気的に接続され、
前記第５のトランジスタのソース又はドレインの他方は、前記第６のトランジスタのソース又はドレインの他方に電気的に接続され、
前記第７のトランジスタのソース又はドレインの一方は、前記第７のトランジスタのゲートに電気的に接続され、
前記容量素子は前記第６のトランジスタのゲート、及び電源線に電気的に接続されることを特徴とする表示装置。
【請求項８】
アナログ信号が入力される信号線と、走査線と、複数のトランジスタと、を有する表示装置において、
前記第１の信号線にソース又はドレインの一方が、前記走査線にゲートが電気的に接続される第１のトランジスタと、
前記第１のトランジスタのソース又はドレインの他方にゲートが、ソース又はドレインの一方が発光素子に電気的に接続される第２のトランジスタと、
前記第２の信号線にソース又はドレインの一方が、前記走査線にゲートが電気的に接続される第３のトランジスタと、
前記第３のトランジスタのソース又はドレインの他方にゲートが、ソース又はドレインの一方が前記発光素子に電気的に接続される第４のトランジスタと、
前記発光素子と、前記第２のトランジスタのソース又はドレインの一方との間に電気的に接続される第１の点灯期間制御回路と、
前記発光素子と、前記第４のトランジスタのソース又はドレインの一方との間に電気的に接続される第２の点灯期間制御回路と、
を有することを特徴とする表示装置。
【請求項９】
アナログ信号が入力される信号線と、走査線と、複数のトランジスタと、を有する表示装置において、
前記第１の信号線にソース又はドレインの一方が、前記走査線にゲートが電気的に接続される第１のトランジスタと、
前記第１のトランジスタのソース又はドレインの他方にゲートが、ソース又はドレインの一方が発光素子に電気的に接続される第２のトランジスタと、
前記第２の信号線にソース又はドレインの一方が、前記走査線にゲートが電気的に接続される第３のトランジスタと、
前記第３のトランジスタのソース又はドレインの他方にゲートが、ソース又はドレインの一方が前記発光素子に電気的に接続される第４のトランジスタと、
前記第４のトランジスタのソースとゲートとの間に電気的に接続される第１の点灯期間制御回路と、
前記発光素子と、前記第４のトランジスタのソース又はドレインの一方との間に電気的に接続される第２の点灯期間制御回路と、
を有することを特徴とする表示装置。
【請求項１０】
請求項１乃至請求項９のいずれか一において、
第２のトランジスタを介して高階調表示を行うアナログ信号が前記発光素子へ入力され、
第４のトランジスタを介して低階調表示を行うアナログ信号が前記発光素子へ入力され、
第２のトランジスタのＷ／Ｌは、第４のトランジスタのＷ／Ｌより大きいことを特徴とする表示装置。
【請求項１１】
アナログ信号に基づき発光する発光素子の点灯期間を制御する回路と、
前記アナログ信号の入力を制御する第１及び第２のトランジスタと、
ソース又はドレインの一方が前記発光素子に、ソース又はドレインの他方が電源線に、ゲートが前記第２のトランジスタのソース又はドレインの他方に電気的に接続された第３のトランジスタと、
ソース又はドレインの一方が前記発光素子に、ソース又はドレインの他方が電源線に、ゲートが前記第１のトランジスタのソース又はドレインの他方に電気的に接続され、且つ前記点灯期間を制御する回路がソースとゲートとの間に電気的に接続される第４のトランジスタと、を有する表示装置の駆動方法であって、
前記点灯期間を制御する回路は、前記アナログ信号が所定の輝度に応じた値より大きい場合、前記発光素子の点灯期間を短く制御して、前記所定の輝度を表示することを特徴とする表示装置の駆動方法。
【請求項１２】
アナログ信号に基づき発光する発光素子の点灯期間を制御する回路と、
前記アナログ信号の入力を制御する第１及び第２のトランジスタと、
ソース又はドレインの一方が前記発光素子に、ソース又はドレインの他方が電源線に、ゲートが前記第２のトランジスタのソース又はドレインの他方に電気的に接続された第３のトランジスタと、
ソース又はドレインの一方が前記発光素子に、ソース又はドレインの他方が電源線に、ゲートが前記第１のトランジスタのソース又はドレインの他方に電気的に接続され、且つ前記点灯期間を制御する回路がソース又はドレインの一方と前記発光素子との間に電気的に接続される第４のトランジスタと、を有する表示装置の駆動方法であって、
前記点灯期間を制御する回路は、前記アナログ信号が所定の輝度に応じた値より大きい場合、前記発光素子の点灯期間を短く制御して、前記所定の輝度を表示することを特徴とする表示装置の駆動方法。
【請求項１３】
アナログ信号に基づき発光する発光素子の点灯期間を制御する複数の回路と、
前記アナログ信号の入力を制御する第１及び第２のトランジスタと、
ソース又はドレインの一方が前記発光素子に、ソース又はドレインの他方が電源線に、ゲートが前記第１のトランジスタのソース又はドレインの他方に電気的に接続され、且つ前記点灯期間を制御する第１の回路がソース又はドレインの一方と前記発光素子との間に電気的に接続される第３のトランジスタと、
ソース又はドレインの一方が前記発光素子に、ソース又はドレインの他方が電源線に、ゲートが前記第１のトランジスタのソース又はドレインの他方に電気的に接続され、且つ前記点灯期間を制御する第２の回路がソース又はドレインの一方と前記発光素子との間に電気的に接続される第４のトランジスタと、を有する表示装置の駆動方法であって、
前記点灯期間を制御する第１及び第２の回路は、前記アナログ信号が所定の輝度に応じた値より大きい場合、前記発光素子の点灯期間を短く制御して、前記所定の輝度を表示することを特徴とする表示装置の駆動方法。
【請求項１４】
アナログ信号に基づき発光する発光素子の点灯期間を制御する複数の回路と、
前記アナログ信号の入力を制御する第１及び第２のトランジスタと、
ソース又はドレインの一方が前記発光素子に、ソース又はドレインの他方が電源線に、ゲートが前記第２のトランジスタのソース又はドレインの他方に電気的に接続され、且つ前記点灯期間を制御する第１の回路がソース又はドレインの一方と前記発光素子との間に電気的に接続される第３のトランジスタと、
ソース又はドレインの一方が前記発光素子に、ソース又はドレインの他方が電源線に、ゲートが前記第１のトランジスタのソース又はドレインの他方に電気的に接続され、且つ前記点灯期間を制御する第２の回路がソースとゲートとの間に電気的に接続される第４のトランジスタと、を有する表示装置の駆動方法であって、
前記点灯期間を制御する第１及び第２の回路は、前記アナログ信号が所定の輝度に応じた値より大きい場合、前記発光素子の点灯期間を短く制御して、前記所定の輝度を表示することを特徴とする表示装置の駆動方法。
【請求項１５】
請求項１１乃至請求項１４のいずれか一において、
前記点灯期間を制御する回路は、第５及び第６のトランジスタを有し、
前記第５のトランジスタのゲートは第２の信号線に電気的に接続され、
前記第６のトランジスタのゲートは第２の走査線に電気的に接続され、
前記アナログ信号が入力される信号線を初期化する信号が入力される第３の信号線を有し、
前記第２の走査線が順に選択される間に、前記第３の信号線が選択されることを特徴とする表示装置の駆動方法。
【請求項１６】
請求項１１乃至請求項１４のいずれか一において、
前記点灯期間を制御する回路は、第５及び第６のトランジスタを有し、
前記第５のトランジスタのゲートは第２の信号線に電気的に接続され、
前記第６のトランジスタのゲートは第２の走査線に電気的に接続され、
前記アナログ信号が入力される信号線を初期化する信号が入力される第３の信号線を有し、
前記第２の走査線の選択に同期して前記第３の信号線が選択されることにより、前記発光素子が非発光となり、
前記第２の走査線が順に選択される間に、前記初期化信号線が選択されることを特徴とする表示装置の駆動方法。
【請求項１７】
請求項１１乃至請求項１６のいずれか一において、アナログ信号が入力される第１の信号線から高階調表示を行うアナログ信号が入力され、
アナログ信号が入力される第２の信号線から低階調表示を行うアナログ信号が入力されることを特徴とする表示装置の駆動方法。
【手続補正２】
【補正対象書類名】図面
【補正対象項目名】図３
【補正方法】変更
【補正の内容】
【図３】
2004341314.tif 000001